(57)【要約】【課題】複数の記録媒体が格納されたカートリッジからプロキシ映像データファイルの効率的な取得を可能とする。【解決手段】データ記録部は、カートリッジ装着部に装着される、複数の記録媒体が格納されたカートリッジにデータを記録する。データ記録部は、カートリッジの第１の記録媒体に第１の解像度の映像データファイルを記録する。また、データ記録部は、カートリッジの第２の記録媒体に、第１の記録媒体に記録される第１の解像度の映像データファイルに対応した、第１の解像度よりも低い第２の解像度の映像データファイル（プロキシ映像データファイル）を記録する。カートリッジの全ての記録媒体にアクセスすることなく、カートリッジ内の全ての第１の解像度の映像データファイルに対応したプロキシ映像データファイルを取得できる。【選択図】図４
2014204324.tif 000002
【特許請求の範囲】
【請求項１】
カートリッジ装着部に装着される、複数の記録媒体が格納されたカートリッジにデータを記録するデータ記録部を備え、
上記データ記録部は、上記カートリッジの第１の記録媒体に第１の解像度の映像データファイルを記録し、上記カートリッジの第２の記録媒体に上記第１の記録媒体に記録される上記第１の解像度の映像データファイルに対応した、上記第１の解像度よりも低い第２の解像度の映像データファイルを記録する
記録装置。
【請求項２】
ファイルシステムドライバは、上記複数の記録媒体を一つのボリュームとして見せる機能を持つ
請求項１に記載の記録装置。
【請求項３】
上記データ記録部は、所定数の上記第１の解像度の映像データファイルを上記一つのボリュームを構成する上記第１の記録媒体に記録した後に、上記一つのボリュームを構成する上記第２の記録媒体に上記所定数の上記第２の解像度の映像データファイルを記録する
請求項２に記載の記録装置。
【請求項４】
ファイルシステムドライバは、上記第１の記録媒体を第１のボリュームとして見せると共に、上記第２の記録媒体を第２のボリュームとして見せる機能を持つ
請求項１に記載の記録装置。
【請求項５】
上記データ記録部は、一個の上記第１の解像度の映像データファイルを上記第１のボリュームに記録する毎に、上記第２のボリュームに一個の上記第２の解像度の映像データファイルを記録する
請求項４に記載の記録装置。
【請求項６】
上記データ記録部は、上記第２の記録媒体に、上記第１の記録媒体に記録される上記第１の解像度の映像データファイルと、上記第２の記録媒体に記録される上記第２の解像度の映像データファイルとを関連付けるための記録管理ファイルをさらに記録する
請求項１に記載の記録装置。
【請求項７】
上記記録管理ファイルは、ＣＳＶ形式で作成される
請求項６に記載の記録装置。
【請求項８】
上記委記録管理ファイルは、ＸＭＬ形式で作成される
請求項６に記載の記録装置。
【請求項９】
上記データ記録部は、上記第２の記録媒体に、上記第１の記録媒体に記録される上記第１の解像度の映像データファイルに対応したサムネイルデータファイルをさらに記録する
請求項１に記載の記録装置。
【請求項１０】
上記データ記録部は、上記第２の記録媒体に、上記第１の記録媒体に記録される上記第１の解像度の映像データファイルに対応したメタデータファイルをさらに記録する
請求項１に記載の記録装置。
【請求項１１】
カートリッジ装着部に装着される、複数の記録媒体が格納されたカートリッジの第１の記録媒体に第１の解像度の映像データファイルを記録する第１の記録ステップと、
上記カートリッジの第２の記録媒体に、上記第１の記録媒体に記録される第１の解像度の映像データファイルに対応した、上記第１の解像度よりも低い第２の解像度の映像データファイルを記録する第２の記録ステップとを有する
記録方法。
【請求項１２】
カートリッジ装着部に装着される、複数の記録媒体が格納されたカートリッジからデータを再生するデータ再生部を備え、
上記カートリッジの第１の記録媒体に第１の解像度の映像データファイルが記録されており、
上記カートリッジの第２の記録媒体に、上記第１の記録媒体に記録される上記第１の解像度の映像データファイルに対応した、上記第１の解像度よりも低い第２の解像度の映像データファイルが記録されていると共に、上記第１の記録媒体に記録される上記第１の解像度の映像データファイルと、上記第２の記録媒体に記録される上記第２の解像度の映像データファイルとを関連付けるための記録管理ファイルが記録されており、
上記データ再生部は、上記第２の記録媒体から上記記録管理ファイルを抽出して、上記第１の記録媒体に記録されている上記第１の解像度の映像データファイルと、上記第２の記録媒体に記録されている上記第２の解像度の映像データファイルとの対応を認識する
再生装置。
【請求項１３】
上記カートリッジの第２の記録媒体に、上記第１の記録媒体に記録される上記第１の解像度の映像データファイルに対応したサムネイルデータファイルがさらに記憶されており、
上記データ再生部で再生された上記サムネイルデータファイルによるサムネイル画像を表示すると共に、該サムネイル画像に対応した操作入力に基づいて上記データ再生部で上記第２の解像度の映像データファイルを再生し、該再生された第２の解像度の映像データファイルによる低解像度画像を表示するように制御する再生制御部をさらに備える
請求項１２に記載の再生装置。
【請求項１４】
上記カートリッジの第２の記録媒体に、上記第１の記録媒体に記録される上記第１の解像度の映像データファイルに対応したサムネイルデータファイルがさらに記憶されており、
上記データ再生部で再生された上記サムネイルデータファイルによるサムネイル画像を表示すると共に、該サムネイル画像に隣接して保存ボタンを表示し、該保存ボタンに対応した操作入力に基づいて上記データ再生部で上記第１の解像度の映像データファイルを再生し、該再生された第１の解像度の映像データファイルを保存するように制御する再生制御部をさらに備える
請求項１２に記載の再生装置。
【発明の詳細な説明】
【技術分野】
【０００１】
本技術は、記録装置、記録方法および再生装置に関し、詳しくは、複数の記録媒体が格納されたカートリッジを取り扱う記録装置等に関する。
【背景技術】
【０００２】
ＣＤ（Compact Disc）ＢＤ（Blu-ray Disc）、フラッシュメモリなどのメディアには、オリジナルの映像データファイルと、オリジナルを元に生成したプロキシ（低解像度）映像データファイルが、一緒に記録されることがある。なお、“Blu-ray”は登録商標である。一般的に、それらの対となる映像データファイルを１つの記録媒体に記録して保管することが知られている。プロキシ映像データファイルは、プレビューや編集時に利用することで、ファイルサイズの大きいオリジナルの映像データファイルに比べて効率よく映像データファイルを取り扱うことができる利点がある。
【０００３】
例えば、特許文献１には、低解像度映像データファイルを高速な１次記録媒体（例えば、ＨＤＤ）に保存し、高解像度映像データファイルを低速な２次記録媒体（例えば、ビデオテープまたはＤＶＤ）に保存し、それらの映像データファイルをサーバで管理することが記載されている。
【先行技術文献】
【特許文献】
【０００４】
【特許文献１】特開２００４−０６４１５５号公報
【発明の概要】
【発明が解決しようとする課題】
【０００５】
オリジナルの映像データファイルとプロキシ映像データファイルを１つの記録媒体に記録するものにあっては、以下のような問題がある。すなわち、複数の記録媒体が格納されたカートリッジから全てのプロキシ映像データファイルを取得するためには、カートリッジ内の全ての記録媒体を読み込むことが必要となり、非効率である。
【０００６】
本技術の目的は、複数の記録媒体が格納されたカートリッジからプロキシ映像データファイルの効率的な取得を可能とすることにある。
【課題を解決するための手段】
【０００７】
本技術の概念は、
カートリッジ装着部に装着される、複数の記録媒体が格納されたカートリッジにデータを記録するデータ記録部を備え、
上記データ記録部は、上記カートリッジの第１の記録媒体に第１の解像度の映像データファイルを記録し、上記カートリッジの第２の記録媒体に上記第１の記録媒体に記録される上記第１の解像度の映像データファイルに対応した、上記第１の解像度よりも低い第２の解像度の映像データファイルを記録する
記録装置にある。
【０００８】
本技術において、データ記録部により、カートリッジ装着部に装着される、複数の記録媒体が格納されたカートリッジにデータが記録される。ここで、記録媒体は、例えば、ディスク状またはテープ状のものである。データ記録部により、カートリッジの第１の記録媒体に第１の解像度の映像データファイルが記録される。また、このデータ記録部により、カートリッジの第２の記録媒体に第１の記録媒体に記録される第１の解像度の映像データファイルに対応した、第１の解像度よりも低い第２の解像度の映像データファイル（プロキシ映像データファイル）が記録される。
【０００９】
このように本技術においては、カートリッジの第２の記録媒体に、第１の解像度の映像データファイルに対応した第２の解像度の映像データファイル（プロキシ映像データファイル）が記録されるものである。そのため、カートリッジの全ての記録媒体にアクセスすることなく、カートリッジ内の全ての第１の解像度の映像データファイルに対応したプロキシ映像データファイルを取得できる。したがって、プロキシ映像データファイルの効率的な取得が可能となる。
【００１０】
本技術において、例えば、ファイルシステムドライバは、複数の記録媒体を一つのボリュームとして見せる機能を持つ、ようにされてもよい。この場合、データ記録部は、例えば、所定数の第１の解像度の映像データファイルを一つのボリュームを構成する第１の記録媒体に記録した後に、一つのボリュームを構成する第２の記録媒体に所定数の第２の解像度の映像データファイルを記録する、ようにされてもよい。
【００１１】
また、本技術において、例えば、ファイルシステムドライバは、第１の記録媒体を第１のボリュームとして見せると共に、第２の記録媒体を第２のボリュームとして見せる機能を持つ、ようにされてもよい。この場合、例えば、データ記録部は、一個の第１の解像度の映像データファイルを第１のボリュームに記録する毎に、第２のボリュームに一個の第２の解像度の映像データファイルを記録する、ようにされてもよい。
【００１２】
また、本技術において、例えば、データ記録部は、第２の記録媒体に、第１の記録媒体に記録される第１の解像度の映像データファイルと、第２の記録媒体に記録される第２の解像度の映像データファイルとを関連付けるための記録管理ファイルをさらに記録する、ようにされてもよい。例えば、記録管理ファイルは、ＣＳＶ形式あるいはＸＭＬ形式で作成される、ようにされてもよい。このように第２の記録媒体に記録管理ファイルが記録されることで、この記録管理ファイルに基づいて、第１の記録媒体に記録される第１の解像度の映像データファイルと、第２の記録媒体に記録される第２の解像度の映像データファイルとの対応関係を容易に把握可能となる。
【００１３】
また、本技術において、例えば、データ記録部は、第２の記録媒体に、第１の記録媒体に記録される第１の解像度の映像データファイルに対応したサムネイルデータファイルをさらに記録する、ようにされてもよい。この場合、カートリッジの第２の記録媒体にアクセスするのみで、カートリッジに記録されている各第１の解像度の映像データファイルに対応したサムネイル画像の表示が可能となり、カートリッジに記録されている各第１の解像度の映像データファイルの内容確認を効率的に行い得るようになる。
【００１４】
また、本技術において、例えば、データ記録部は、第２の記録媒体に、第１の記録媒体に記録され記第１の解像度の映像データファイルに対応したメタデータファイルをさらに記録する、ようにされてもよい。この場合、カートリッジの第２の記録媒体にアクセスするのみで、カートリッジに記録されている各第１の解像度の映像データファイルに対応した情報表示が可能となり、カートリッジに記録されている各第１の解像度の映像データファイルの内容確認を効率的に行い得るようになる。
【００１５】
また、本技術の他の概念は、
カートリッジ装着部に装着される、複数の記録媒体が格納されたカートリッジからデータを再生するデータ再生部を備え、
上記カートリッジの第１の記録媒体に第１の解像度の映像データファイルが記録されており、
上記カートリッジの第２の記録媒体に、上記第１の記録媒体に記録される上記第１の解像度の映像データファイルに対応した、上記第１の解像度よりも低い第２の解像度の映像データファイルが記録されていると共に、上記第１の記録媒体に記録される上記第１の解像度の映像データファイルと、上記第２の記録媒体に記録される上記第２の解像度の映像データファイルとを関連付けるための記録管理ファイルが記録されており、
上記データ再生部は、上記第２の記録媒体から上記記録管理ファイルを抽出して、上記第１の記録媒体に記録されている上記第１の解像度の映像データファイルと、上記第２の記録媒体に記録されている上記第２の解像度の映像データファイルとの対応を認識する
再生装置にある。
【００１６】
本技術において、データ再生部により、カートリッジ装着部に装着される、複数の記録媒体が格納されたカートリッジからデータが再生される。ここで、記録媒体は、例えば、ディスク状またはテープ状のものである。カートリッジの第１の記録媒体に第１の解像度の映像データファイルが記録されている。また、カートリッジの第２の記録媒体に、第１の記録媒体に記録される第１の解像度の映像データファイルに対応した、第１の解像度よりも低い第２の解像度の映像データファイルが記録されていると共に、第１の記録媒体に記録される第１の解像度の映像データファイルと、第２の記録媒体に記録される第２の解像度の映像データファイルとを関連付けるための記録管理ファイルが記録されている。
【００１７】
データ再生部により、第２の記録媒体から記録管理ファイルが抽出され、第１の記録媒体に記録されている第１の解像度の映像データファイルと、第２の記録媒体に記録されている第２の解像度の映像データファイル（プロキシ映像データファイル）との対応が認識される。
【００１８】
このように本技術においては、第２の記録媒体に記録されている記録管理ファイルが抽出されることで、データ再生部において、第１の記録媒体に記録されている第１の解像度の映像データファイルと、第２の記録媒体に記録されている第２の解像度の映像データファイル（プロキシ映像データファイル）との対応が認識されるものである。したがって、例えば、ユーザによって選択された所定のプロキシ映像データファイルに対応した第１の解像度の映像データファイルを第１の記録媒体から再生することを容易に行い得るようになる。
【００１９】
なお、本技術において、例えば、カートリッジの第２の記録媒体に、第１の記録媒体に記録される第１の解像度の映像データファイルに対応したサムネイルデータファイルがさらに記憶されており、データ再生部で再生されたサムネイルデータファイルによるサムネイル画像を表示すると共に、このサムネイル画像に対応した操作入力に基づいてデータ再生部で第２の解像度の映像データファイルを再生し、この再生された第２の解像度の映像データファイルによる低解像度画像を表示するように制御する再生制御部をさらに備える、ようにされてもよい。この場合、ユーザは表示されるサムネイル画像に基づいて、再生表示すべき第２の映像データファイル（プロキシ映像データファイル）を容易に選択し得るようになる。
【００２０】
また、本技術において、カートリッジの第２の記録媒体に、第１の記録媒体に記録される第１の解像度の映像データファイルに対応したサムネイルデータファイルがさらに記憶されており、データ再生部で再生されたサムネイルデータファイルによるサムネイル画像を表示すると共に、このサムネイル画像に隣接して保存ボタンを表示し、この保存ボタンに対応した操作入力に基づいてデータ再生部で第１の解像度の映像データファイルを再生し、この再生された第１の解像度の映像データファイルを保存するように制御する再生制御部をさらに備える、ようにされてもよい。この場合、ユーザは表示されるサムネイル画像に基づいて、再生保存すべき第１の映像データファイルを容易に選択し得るようになる。
【発明の効果】
【００２１】
本技術によれば、複数の記録媒体が格納されたカートリッジからプロキシ映像データファイルの効率的な取得が可能となる。
【図面の簡単な説明】
【００２２】
【図１】実施の形態としての記録再生装置の構成例を示す図である。
【図２】データ記録時の処理手順の一例を示すフローチャートである。
【図３】データ記録時の他の処理手順の一例を示すフローチャートである。
【図４】カートリッジへのデータ記録例を示す図である。
【図５】データ再生時の処理手順の一例を示すフローチャートである。
【図６】読み出し用ＵＩの一例を示す図である。
【発明を実施するための形態】
【００２３】
以下、発明を実施するための形態（以下、「実施の形態」とする）について説明する。なお、説明を以下の順序で行う。
１．実施の形態
２．変形例
【００２４】
＜１．実施の形態＞
［記録再生装置の構成例］
図１は、実施の形態としての記録再生装置１０の構成例を示している。この記録再生装置１０は、パーソナルコンピュータ（ＰＣ：Personal Computer）１００に、ＵＳＢケーブルを介してチェンジャドライブ２００が接続された構成とされている。ＰＣ１００は、チェンジャドライブ２００を、ストレージデバイスとして扱う。
【００２５】
ＰＣ１００は、ＣＰＵ１０１と、チップセット１０２と、メインメモリ１０３と、ローカルＨＤＤ１０４と、ビデオカード１０５と、ＵＳＢホストコントローラ１０６と、ＵＳＢルートハブ１０７を有している。このＰＣ１００に、ユーザインタフェースとして、モニタ１１０と、マウスやキーボード、あるいはタッチパネルなどの入力デバイス１２０が接続されている。
【００２６】
ＣＰＵ１０１には、このＣＰＵ１０１上で動作するソフトウェアとして、種々のアプリケーションの他に、ファイルシステムドライバ、デバイスドライバ、ＨＡＬ（Hardware Abstraction Layer）等が存在する。ＨＡＬは、デバイスの物理Ｉ／Ｏを標準化したＩ／Ｆとして提供する。デバイスドライバは、ＵＳＢで接続されたチェンジャドライブ２００に対して標準化したＩ／Ｆを提供する。ファイルシステムドライバは、ディレクトリ構造、ファイルといった標準化したファイルシステムのＩ／Ｆを提供する。
【００２７】
チェンジャドライブ２００は、光ディスクドライブ２０１と、ローダ（Loader）２０２と、システムコントローラ２０４と、ＵＳＢコントローラ２０５を有している。このチェンジャドライブ２００は、内部に所定数の記録媒体、ここでは光ディス３１０ａを格納したカートリッジ３１０をリムーバブルな記録メディアとして利用する。
【００２８】
チェンジャドライブ２００は、ＵＳＢマスストレージクラスとして、ＰＣ１００からＵＳＢコマンドで制御される。ローダ２０２は、ＰＣ１００からのコマンドによって、カートリッジ３１０内の任意のスロット３１２の光ディスク３１０ａを光ディスクドライブ２０１にロードし、あるいはこの光ディスク３１０ａをアンローディング（イジェクト）して、カートリッジ３１０の元のスロット３１２に格納する。光ディスクドライブ２０１は、ローディングされた光ディスク３１０ａに対して記録再生を行う。
【００２９】
データ記録時の動作を説明する。この場合、ローカルＨＤＤ１０４には、複数のデータファイルセットが予め用意されている。１つのデータファイルセットは、高解像度映像データファイル、低解像映像データファイル（プロキシ映像データファイル）、サムネイルデータファイルおよびメタデータファイルにより構成されている。
【００３０】
ここで、高解像度データファイルは、例えば、１９２０＊１０８０ピクセルの映像データを含むＭＸＦ（Material Exchange Format）ファイルなどである。また、低解像度データファイルは、例えば、１９２０＊１０８０ピクセルの映像データから４８０＊２７０ピクセルにスケールダウンし、さらにＭＰＥＧ４、ＡＶＣ、ＷＭＶなどで圧縮された映像データを含むファイルである。この低解像度映像データファイルは、再生速度やネットワークの負荷、ＣＰＵ負荷などを抑えるために、編集やプレビュー用途で使用される。
【００３１】
また、サムネイルデータファイルは、動画の代表的な画像を１枚または複数枚抽出し、ＪＰＥＧやＰＮＧなどで圧縮した静止画データを含むファイルである。このサムネイルデータファイルは、動画像の一覧を確認する目的などで使用される。また、メタデータファイルは、撮影した日付、撮影した場所、撮影者などの情報を含むファイルである。このメタデータファイルは、動画像の補助情報として使用され、映像の再利用などのときに役立てられる。
【００３２】
図２のフローチャートは、データ記録時の処理手順の一例を示している。この例は、ファイルシステムドライバが、カートリッジ３１０の複数の光ディスク３１０ａを一つのボリュームとして見せる機能を持つ場合の例である。
【００３３】
ステップＳＴ１において、ＣＰＵ１０１は、処理を開始する。その後、ステップＳＴ２において、チェンジャドライブ２００に、カートリッジ３１０が挿入される。次に、ステップＳＴ３において、ファイルシステムドライバが自動でファイルシステムとしてマウントされる。なお、このマウントは、ＣＰＵ１０１がファイルシステムドライバに対して要求することで行われる場合もある。
【００３４】
次に、ステップＳＴ４において、ＣＰＵ１０１は、例えば、ユーザ操作に基づいて、所定の高解像度映像データファイル、したがってこの高解像度映像データファイルを含むデータファイルセットを、ローカルＨＤＤ１０４から選択する。なお、図示していないが、ＰＣ１００に外付けされるＨＤＤなどから選択することも考えられる。
【００３５】
次に、ステップＳＴ５において、ＣＰＵ１０１は、カートリッジ３１０の残容量から、記録可能か否かを判定する。この場合、ＣＰＵ１０１は、以下の（１）、（２）の少なくともいずれかの条件を満足する場合は、記録不可能と判定し、それ以外は記録可能と判定する。
【００３６】
（１）記録する高解像度映像データファイルとそれに対応する低解像度映像データファイル、メタデータファイル、サムネイルデータファイルの総容量、記録された高解像度映像データファイルとそれに対応する低解像度映像データファイル、メタデータファイル、サムネイルデータファイルの総容量および記録管理用ファイルの総容量が、残容量を超える。
【００３７】
（２）記録する高解像度映像データファイルに対応する低解像度映像データファイル、メタデータファイル、サムネイルデータファイルの総容量、記録された高解像度映像データファイルに対応する低解像度映像データファイル、メタデータファイル、サムネイルデータファイルの総容量および記録管理用ファイルの総容量が、一枚の光ディスク３１０ａの残容量を超える。
【００３８】
なお、残容量の判定は、ある程度のマージンを見込むようにされてもよい。また、高解像度映像データファイルと低解像度映像データファイルのサイズ比率によっては、低解像度映像データファイル、メタデータファイル、サムネイルデータファイル、記録管理ファイルを書き込む光ディスク３１０ａとして二枚以上を割り当てることも考えられる。その場合、上述の（２）の条件における「一枚の光ディスク３１０ａの残容量」は、「割り当てられた枚数の光ディスク３１０ａの残容量」となる。
【００３９】
記録可能と判定するとき、ＣＰＵ１０１は、ステップＳＴ６において、高解像度映像データファイルをチェンジャドライブ２００に送って、カートリッジ３１０の第１の光ディスク３１０ａに書き込む。ここで、第１の光ディスク３１０ａは、カートリッジ３１０に格納されている複数の光ディスク３１０ａのうち、高解像度映像データファイルを書き込むために割り当てられた光ディスク３１０ａである。この場合、例えば、最下段の光ディスク３１０ａから書き込みが行われ、書き込みがなされている光ディスク３１０ａの残容量が足りなくなると、自動で次の光ディスク３１０ａへの書き込みが行われていく。
【００４０】
次に、ＣＰＵ１０１は、ステップＳＴ７において、記録された高解像度映像データファイルと、それに対応する低解像度映像データファイル、メタデータファイル、サムネイルデータファイルの関連付け情報が含まれるように、記録管理ファイルを更新する。この記録管理ファイルは、例えば、メインメモリ１０３上において更新される。ＣＰＵ１０１は、ステップＳＴ７の後、ステップＳＴ４に戻って、上述したと同様の処理を繰り返す。
【００４１】
ここで、記録管理ファイルは、例えば、ＣＳＶ形式あるいはＸＭＬ形式で、ファイルの相関関係が取れるように作成される。以下にそれの形式の作成例を示す。
【００４２】
ＣＳＶ形式の例
# オリジナル高解像度データ, プロキシデータ, サムネイルデータ,メタデータ
movie1.mxf,movie1.mp4, movie1.jpg, movie1.meta 
movie2.mxf,movie2.mp4, movie2.jpg, movie2.meta
movie3.mxf,movie3.mp4, movie3.jpg, movie3.meta
movie4.mxf,movie4.mp4, movie4.jpg, movie4.meta
【００４３】
ＸＭＬ形式の例
<movie オリジナル高解像度データ=“movie1.mxf” プロキシデータ=“movie1.mp4” サムネイルデータ=“movie1.jpg” メタデータ=“movie1.meta” />
<movie オリジナル高解像度データ=“movie2.mxf” プロキシデータ=“movie2.mp4” サムネイルデータ=“movie2.jpg” メタデータ=“movie2.meta” />
<movie オリジナル高解像度データ=“movie3.mxf” プロキシデータ=“movie3.mp4” サムネイルデータ=“movie3.jpg” メタデータ=“movie3.meta” />
【００４４】
ステップＳＴ５で記録不可能と判定するとき、ＣＰＵ１０１は、ステップＳＴ８において、最後尾の光ディスク３１０ａがロードされている状態にない場合のみ、この光ディスク３１０ａのロード状態となるように、チェンジャドライブ２００を制御する。なお、この例は、最後尾の一枚の光ディスク３１０ａのみが第２の光ディスク３１０ａに割り当てられている場合の例である。ここで、第２の光ディスク３１０ａは、低解像度映像データファイル、メタデータファイル、サムネイルデータファイル、記録管理ファイルを書き込むために割り当てられた光ディスク３１０ａである。
【００４５】
次に、ＣＰＵ１０１は、ステップＳＴ９において、低解像度映像データファイル、メタデータファイル、サムネイルデータファイルをチェンジャドライブ２００に送って、カートリッジ３１０の第２の光ディスク３１０ａに書き込む。次に、ＣＰＵ１０１は、ステップＳＴ１０において、記録管理ファイルをチェンジャドライブ２００に送って、カートリッジ３１０の第２の光ディスク３１０ａに書き込む。その後、ＣＰＵ１０１は、ステップＳＴ１１において、処理を終了する。
【００４６】
図３のフローチャートも、データ記録時の処理手順の一例を示している。この例は、ファイルシステムドライバが、カートリッジ３１０の第１の光ディスク３１０ａをＡボリューム（第１のボリューム）として見せると共に、カートリッジ３１０の第２の光ディスク３１０ａをＢボリューム（第２のボリューム）として見せる機能を持つ場合の例である。
【００４７】
ステップＳＴ２１において、ＣＰＵ１０１は、処理を開始する。その後、ステップＳＴ２２において、チェンジャドライブ２００に、カートリッジ３１０が挿入される。次に、ステップＳＴ２３において、ファイルシステムドライバが、自動でファイルシステムとしてマウントされる。なお、このマウントは、ＣＰＵ１０１がファイルシステムドライバに対して要求することで行われる場合もある。
【００４８】
次に、ステップＳＴ２４において、ＣＰＵ１０１は、例えば、ユーザ操作に基づいて、所定の高解像度映像データファイル、したがってこの高解像度映像データファイルを含むデータファイルセットを、ローカルＨＤＤ１０４から選択する。なお、図示していないが、ＰＣ１００に外付けされるＨＤＤなどから選択することも考えられる。
【００４９】
次に、ステップ２５において、ＣＰＵ１０１は、カートリッジ３１０の残容量から、記録可能か否かを判定する。この場合、ＣＰＵ１０１は、以下の（１）、（２）の少なくともいずれかの条件を満足する場合は、記録不可能と判定し、それ以外は記録可能と判定する。
【００５０】
（１）記録する高解像度映像データファイルの総容量が、Ａボリューム（第１のボリューム）の残容量を超える。
【００５１】
（２）記録する高解像度映像データファイルに対する低解像度データ、メタデータ、サムネイルデータの総容量および記録管理ファイルの総容量が、Ｂボリューム（第２のボリューム）の残容量を超える。
【００５２】
記録可能と判定するとき、ＣＰＵ１０１は、ステップＳＴ２６において、高解像度映像データファイルを、チェンジャドライブ２００に送って、カートリッジ３１０のＡボリュームを構成する第１の光ディスク３１０ａに書き込む。次に、ＣＰＵ１０１は、ステップＳＴ２７において、低解像度映像データファイル、メタデータファイル、サムネイルデータファイルをチェンジャドライブ２００に送って、カートリッジ３１０のＢボリュームを構成する第２の光ディスク３１０ａに書き込む。
【００５３】
次に、ＣＰＵ１０１は、ステップＳＴ２８において、カートリッジ３１０のＢボリュームを構成する第２の光ディスク３１０ａに存在する記録管理ファイルを、記録された高解像度映像データファイルと、それに対応する低解像度映像データファイル、メタデータファイル、サムネイルデータファイルの関連付け情報が含まれるように、更新する。ＣＰＵ１０１は、ステップＳＴ２８の後、ステップＳＴ２４に戻って、上述したと同様の処理を繰り返す。
【００５４】
ステップＳＴ２５で記録不可能と判定するとき、ＣＰＵ１０１は、ステップＳＴ２９において、処理を終了する。
【００５５】
なお、上述では、記録管理ファイルを、低解像度映像データファイル、メタデータファイル、サムネイルデータファイルと共に書き込む例を示した。しかし、記録管理ファイルを書き込まずに、高解像度映像データファイルに対応する低解像度映像データファイル、メタデータファイル、サムネイルデータファイルを拡張子の違いで判断してもよい。例えば、「movie1.mxf, movie1.mp4, movie1.meta, movie1.jpg」などである。
【００５６】
図４は、カートリッジ３１０へのデータ記録例を示している。この例では、カートリッジ３１０に１２枚の光ディスク３１０ａが格納されている。「Disc 1」〜「Disc 11」の１１枚の光ディスク３１０ａに、「Movie01_FullResolution.MXF」〜「Movie22_FullResolution.MXF」の２２個の高解像度映像データファイルが記録されている。
【００５７】
また、「Disc 12」の最後尾の光ディスク３１０ａに、記録された高解像度映像データファイルに対応した、「Movie01_Proxy.avc」〜「Movie22_Proxy.avc」の２２個の低解像度映像データファイル、「Movie01_Thumbnail.jpg」〜「Movie22_Thumbnail.jpg」の２２個のサムネイルデータファイル、「Movie01_Metadata.xml」〜「Movie22_ Metadata.xml」の２２個のメタデータファイルおよび「AllFileList.xml」の記録管理ファイルが記録されている。
【００５８】
次に、データ再生時の動作を説明する。この場合、チェンジャドライブ２００に挿入されるカートリッジ３１０には、複数のデータファイルセットが記録されている。１つのデータファイルセットは、高解像度映像データファイル、低解像映像データファイル（プロキシ映像データファイル）、サムネイルデータファイルおよびメタデータファイルにより構成されている。
【００５９】
そして、この場合、高解像度映像データファイルは、カートリッジ３１０の第１の光ディスク３１０ａに記録されている。また、低解像映像データファイル（プロキシ映像データファイル）、サムネイルデータファイルおよびメタデータファイルと、記録管理ファイルは、カートリッジ３１０の第２の光ディスク３１０ａに記録されている。
【００６０】
図５のフローチャートは、データ再生時の処理手順の一例を示している。ステップＳＴ３１において、ＣＰＵ１０１は、処理を開始する。その後、ステップＳＴ３２において、チェンジャドライブ２００に、カートリッジ３１０が挿入される。次に、ステップＳＴ３３において、ファイルシステムドライバが自動でファイルシステムとしてマウントされる。なお、このマウントは、ＣＰＵ１０１がファイルシステムドライバに対して要求することで行われる場合もある。
【００６１】
次に、ステップＳＴ３４において、ＣＰＵ１０１は、カートリッジ３１０の第２の光ディスク３１０ａを光ディスクドライブ２０１にロードし、記録管理ファイルを読み出すようにチェンジャドライブ２００を制御する。ＣＰＵ１０１は、チェンジャドライブ２００で読み出された記録管理ファイルを受け取り、メインメモリ１０３に保持する。
【００６２】
ＣＰＵ１０１は、この記録管理ファイルに基づいて、カートリッジ３１０の第１の光ディスク３１０ａに記録されている高解像度映像データファイルと、それに対応してカートリッジ３１０の第２の光ディスク３１０ａに記録されている低解像度映像データファイル、メタデータファイル、サムネイルデータファイルとの対応関係を知ることができる。
【００６３】
次に、ステップＳＴ３５において、ＣＰＵ１０１は、光ディスクドライブ２０１にロードされているカートリッジ３１０の第２の光ディスク３１０ａからサムネイルデータファイルを読み出すようにチェンジャドライブ２００を制御する。ＣＰＵ１０１は、チェンジャドライブ２００で読み出されたサムネイルデータファイルを受け取り、メインメモリ１０３に保持する。
【００６４】
次に、ステップＳＴ３６において、ＣＰＵ１０１は、光ディスクドライブ２０１にロードされているカートリッジ３１０の第２の光ディスク３１０ａからメタデータファイルを読み出すようにチェンジャドライブ２００を制御する。ＣＰＵ１０１は、チェンジャドライブ２００で読み出されたメタデータファイルを受け取り、メインメモリ１０３に保持する。
【００６５】
次に、ステップＳＴ３７において、ＣＰＵ１０１は、モニタ１１０に、読み出し用ＵＩ（User Interface）を表示する。図６は、読み出し用ＵＩの一例を示している。読み出し用ＵＩには、サムネイルの個数に対応したサムネイル表示部５１０が設けられる。そして、上述のステップＳＴ３５で取得されたサムネイルデータファイルに基づいて、それぞれのサムネイル表示部５１０に、カートリッジ３１０に記録されている各高解像度映像データファイルに対応したサムネイル画像が表示される。
【００６６】
また、読み出し用ＵＩには、それぞれのサムネイル表示部５１０の下部に、上述のステップＳＴ５６で取得されたメタデータファイルに基づいて、カートリッジ３１０に記録されている各高解像度映像データファイルに関係する情報、例えば撮影した日付、撮影者などが表示される。
【００６７】
また、読み出し用ＵＩには、それぞれのサムネイル表示部５１０の下部に、保存ボタン５２０が表示される。この保存ボタン５２０は、後述するように、高解像度映像データファイルを取り込むためにユーザが操作するボタンである。また、読み出し用ＵＩには、動画像表示部５３０が設けられる。この動画像表示部５３０は、後述するように、低解像度映像データファイル（プロキシ映像データファイル）による再生画像を表示するためのビューワである。
【００６８】
次に、ステップＳＴ３８において、ＣＰＵ１０１は、いずれかのサムネイル画像がクリック操作されたか否かを判定する。サムネイル画像がクリック操作されていると判定するとき、ＣＰＵ１０１は、ステップＳＴ３９において、カートリッジ３１０の第２の光ディスク３１０ａからクリック操作されたサムネイル画像に対応した低解像度映像データファイル（プロキシ映像データファイル）を読み出すようにチェンジャドライブ２００を制御する。
【００６９】
ＣＰＵ１０１は、チェンジャドライブ２００で読み出された低解像度映像データファイルを受け取り、メインメモリ１０３に一時的に保持し、読み出し用ＵＩの動画像表示部５３０にその再生画像（プロキシ映像）を表示する。このような再生画像の表示により、ユーザは、対応する高解像度映像データファイルの内容をより詳細に知ることができる。ＣＰＵ１０１は、ステップＳＴ３９の後、ステップＳＴ３８に戻る。
【００７０】
そのため、他のサムネイル画像がクリック操作されるとき、ＣＰＵ１０１は、カートリッジ３１０の第２の光ディスク３１０ａからそのクリック操作されたサムネイル画像に対応した低解像度映像データファイルを読み出すようにチェンジャドライブ２００を制御し、読み出し用ＵＩの動画像表示部５３０に、受け取った低解像度映像データファイルによる再生画像（プロキシ映像）を表示する。
【００７１】
ステップＳＴ３８でサムネイル画像がクリック操作されていないと判定するとき、ＣＰＵ１０１は、ステップＳＴ４０において、保存ボタン５２０がクリック操作されたか否かを判定する。保存ボタン５２０がクリック操作されていると判定するとき、ＣＰＵ１０１は、ステップＳＴ４１において、カートリッジ３１０の第１の光ディスク３１０ａからクリック操作された保存ボタン５２０に対応した高解像度映像データファイルを読み出すようにチェンジャドライブ２００を制御する。
【００７２】
ＣＰＵ１０１は、チェンジャドライブ２００で読み出された高解像度映像データファイルを受け取り、所定の記録媒体、例えば、ローカルＨＤＤ１０４に保存する。ＣＰＵ１０１は、ステップＳＴ４１の後、ステップＳＴ３８に戻る。
【００７３】
ステップＳＴ４０で保存ボタン５２０がクリック操作されていないと判定するとき、ＣＰＵ１０１は、ステップＳＴ４２において、ユーザによる終了操作があるか否かを判定する。ＣＰＵ１０１は、終了操作がないと判定するとき、ステップＳＴ３８に戻り、一方、終了操作があると判定するとき、ステップＳＴ４３において、処理を終了する。
【００７４】
上述したように、図１に示す記録再生装置１０においては、カートリッジ３１０の第２の光ディスク３１０ａ、例えば一枚の光ディスク３１０ａに、カートリッジ３１０の第１の光ディスク３１０ａに記録される高解像度映像データファイルに対応した低解像度映像データファイル（プロキシ映像データファイル）が記録されるものである。
【００７５】
そのため、カートリッジ３１０の全ての光ディスク３１０ａにアクセスすることなく、カートリッジ３１０内の全ての高解像度映像データファイルに対応したプロキシ映像データファイルを取得できる。したがって、プロキシ映像データファイルの効率的な取得が可能となる。
【００７６】
また、図１に示す記録再生装置１０においては、カートリッジ３１０の第２の光ディスク３１０ａに、カートリッジ３１０の第１の光ディスク３１０ａに記録される高解像度映像データファイルと、カートリッジ３１０の第２の光ディスク３１０ａに記録される低解像度映像データファイル（プロキシ映像データファイル）とを関連付けるための記録管理ファイルが記録されるものである。
【００７７】
そのため、この記録管理ファイルに基づいて、第１の光ディスク３１０ａに記録される高解像度映像データファイルと、第２の光ディスク３１０ａに記録されるプロキシ映像データファイルとの対応関係を容易に把握可能となる。したがって、例えば、ユーザによって選択された所定のプロキシ映像データファイルに対応した高解像度映像データファイルを第１の光ディスク３１０ａから再生することを容易に行い得るようになる。
【００７８】
また、図１に示す記録再生装置１０においては、カートリッジ３１０の第２の光ディスク３１０ａに、カートリッジ３１０の第１の光ディスク３１０ａに記録される高解像度映像データファイルに対応したサムネイルデータファイルが記録されるものである。そのため、カートリッジ３１０の第２の光ディスク３１０ａにアクセスするのみで、カートリッジ３１０に記録されている各高解像度映像データファイルに対応したサムネイル画像の表示が可能となり、カートリッジ３１０に記録されている各高解像度映像データファイルの内容確認を効率的に行い得るようになる。
【００７９】
また、図１に示す記録再生装置１０においては、カートリッジ３１０の第２の光ディスク３１０ａに、カートリッジ３１０の第１の光ディスク３１０ａに記録される高解像度映像データファイルに対応したメタデータファイルが記録されるものである。そのため、カートリッジ３１０の第２の光ディスク３１０ａにアクセスするのみで、カートリッジ３１０に記録されている各高解像度映像データファイルに対応した情報表示が可能となり、カートリッジ３１０に記録されている各高解像度映像データファイルの内容確認を効率的に行い得るようになる。
【００８０】
また、図１に示す記録再生装置１０においては、再生時には、モニタ１１０に読み出し用ＵＩ（図６参照）が表示され、この読み出し用ＵＩには、カートリッジ３１０の第２の光ディスク３１０ａに記録されているサムネイルデータファイルによるサムネイル画像を表示するためのサムネイル表示部５１０が設けられるものである。そのため、ユーザは表示されるサムネイル画像に基づいて、カートリッジ３１０に記録されている各高解像度映像データファイルの内容確認を容易に行い得るようになる。
【００８１】
また、図１に示す記録再生装置１０においては、再生時には、モニタ１１０に読み出し用ＵＩ（図６参照）が表示され、この読み出し用ＵＩには、カートリッジ３１０の第２の光ディスク３１０ａに記録されているサムネイルデータファイルによるサムネイル画像を表示するためのサムネイル表示部５１０が設けられると共に、各サムネイル表示部５１０に対応して保存ボタン５２０が設けられるものである。そのため、ユーザは、この保存ボタン５２０をクリック操作することで、カートリッジ３１０から所望の高解像度映像データを再生して保存することを容易に行い得るようになる。
【００８２】
＜２．変形例＞
なお、上述実施の形態においては、ＰＣ１００とチェンジャドライブ２００とがＵＳＢケーブルで接続されて構成されたファイル記録装置１０を示したが、例えば、ＰＣ１００内にチェンジャドライブ２００が一体的に配置された構成も考えられる。
【００８３】
また、上述実施の形態において、チェンジャドライブ２００は、ディスク状の記録媒体（光りディスク３１０ａ）が格納されたカートリッジ３１０をリムーバブルな記録メディアとして利用するものであった。しかし、チェンジャドライブ２００がテープ状の記録媒体が格納されたカートリッジを取り扱う場合であっても、本技術を適用できることは勿論である。
【００８４】
また、複数のカートリッジを棚管理する場合、所望の映像データファイルを検索するためには、複数のカートリッジの中身を、カートリッジ毎に検索する必要がある。検索対象のカートリッジの切り替えにはとても時間がかかり、非効率である。そのため、一つのカートリッジに、棚に存在する全てのカートリッジに含まれる高解像度映像データファイルに対応したプロキシ映像データファイルを保存することが考えられる。この場合、一つのカートリッジを読み込むだけで、複数のカートリッジに記録されている高解像度映像データファイルの中身を効率的に閲覧可能となる。
【００８５】
また、本技術は、以下のような構成を取ることもできる。
（１）カートリッジ装着部に装着される、複数の記録媒体が格納されたカートリッジにデータを記録するデータ記録部を備え、
上記データ記録部は、上記カートリッジの第１の記録媒体に第１の解像度の映像データファイルを記録し、上記カートリッジの第２の記録媒体に上記第１の記録媒体に記録される上記第１の解像度の映像データファイルに対応した、上記第１の解像度よりも低い第２の解像度の映像データファイルを記録する
記録装置。
（２）ファイルシステムドライバは、上記複数の記録媒体を一つのボリュームとして見せる機能を持つ
前記（１）に記載の記録装置。
（３）上記データ記録部は、所定数の上記第１の解像度の映像データファイルを上記一つのボリュームを構成する上記第１の記録媒体に記録した後に、上記一つのボリュームを構成する上記第２の記録媒体に上記所定数の上記第２の解像度の映像データファイルを記録する
前記（２）に記載の記録装置。
（４）ファイルシステムドライバは、上記第１の記録媒体を第１のボリュームとして見せると共に、上記第２の記録媒体を第２のボリュームとして見せる機能を持つ
前記（１）に記載の記録装置。
（５）上記データ記録部は、一個の上記第１の解像度の映像データファイルを上記第１のボリュームに記録する毎に、上記第２のボリュームに一個の上記第２の解像度の映像データファイルを記録する
前記（４）に記載の記録装置。
（６）上記データ記録部は、上記第２の記録媒体に、上記第１の記録媒体に記録される上記第１の解像度の映像データファイルと、上記第２の記録媒体に記録される上記第２の解像度の映像データファイルとを関連付けるための記録管理ファイルをさらに記録する
前記（１）から（５）のいずれかに記載の記録装置。
（７）上記記録管理ファイルは、ＣＳＶ形式で作成される
請求項６に記載の記録装置。
（８）上記委記録管理ファイルは、ＸＭＬ形式で作成される
前記（６）に記載の記録装置。
（９）上記データ記録部は、上記第２の記録媒体に、上記第１の記録媒体に記録される上記第１の解像度の映像データファイルに対応したサムネイルデータファイルをさらに記録する
前記（１）から（８）のいずれかに記載の記録装置。
（１０）上記データ記録部は、上記第２の記録媒体に、上記第１の記録媒体に記録される上記第１の解像度の映像データファイルに対応したメタデータファイルをさらに記録する
前記（１）から（９）のいずれかに記載の記録装置。
（１１）カートリッジ装着部に装着される、複数の記録媒体が格納されたカートリッジの第１の記録媒体に第１の解像度の映像データファイルを記録する第１の記録ステップと、
上記カートリッジの第２の記録媒体に、上記第１の記録媒体に記録される第１の解像度の映像データファイルに対応した、上記第１の解像度よりも低い第２の解像度の映像データファイルを記録する第２の記録ステップとを有する
記録方法。
（１２）カートリッジ装着部に装着される、複数の記録媒体が格納されたカートリッジからデータを再生するデータ再生部を備え、
上記カートリッジの第１の記録媒体に第１の解像度の映像データファイルが記録されており、
上記カートリッジの第２の記録媒体に、上記第１の記録媒体に記録される上記第１の解像度の映像データファイルに対応した、上記第１の解像度よりも低い第２の解像度の映像データファイルが記録されていると共に、上記第１の記録媒体に記録される上記第１の解像度の映像データファイルと、上記第２の記録媒体に記録される上記第２の解像度の映像データファイルとを関連付けるための記録管理ファイルが記録されており、
上記データ再生部は、上記第２の記録媒体から上記記録管理ファイルを抽出して、上記第１の記録媒体に記録されている上記第１の解像度の映像データファイルと、上記第２の記録媒体に記録されている上記第２の解像度の映像データファイルとの対応を認識する
再生装置。
（１３）上記カートリッジの第２の記録媒体に、上記第１の記録媒体に記録される上記第１の解像度の映像データファイルに対応したサムネイルデータファイルがさらに記憶されており、
上記データ再生部で再生された上記サムネイルデータファイルによるサムネイル画像を表示すると共に、該サムネイル画像に対応した操作入力に基づいて上記データ再生部で上記第２の解像度の映像データファイルを再生し、該再生された第２の解像度の映像データファイルによる低解像度画像を表示するように制御する再生制御部をさらに備える
前記１２に記載の再生装置。
（１４）上記カートリッジの第２の記録媒体に、上記第１の記録媒体に記録される上記第１の解像度の映像データファイルに対応したサムネイルデータファイルがさらに記憶されており、
上記データ再生部で再生された上記サムネイルデータファイルによるサムネイル画像を表示すると共に、該サムネイル画像に隣接して保存ボタンを表示し、該保存ボタンに対応した操作入力に基づいて上記データ再生部で上記第１の解像度の映像データファイルを再生し、該再生された第１の解像度の映像データファイルを保存するように制御する再生制御部をさらに備える
前記（１２）または（１３）に記載の再生装置。
【符号の説明】
【００８６】
１０・・・記録再生装置
１００・・・パーソナルコンピュータ（ＰＣ）
１０１・・・ＣＰＵ
１０２・・・チップセット
１０３・・・メインメモリ
１０４・・・ローカルＨＤＤ
１０５・・・ビデオカード
１０６・・・ＵＳＢホストコントローラ
１０７・・・ＵＳＢルートハブ
１１０・・・モニタ
１２０・・・入力デバイス
２００・・・チェンジャドライブ
２０１・・・光ディスクドライブ
２０２・・・ローダ
２０４・・・システムコントローラ
２０５・・・ＵＳＢコントローラ
３００・・・カートリッジ
３１０ａ・・・光ディスク
３１２・・・スロット
５１０・・・サムネイル表示部
５２０・・・保存ボタン
５３０・・・動画表示部（ビューワ）
【図１】
2014204324.tif 000003
【図２】
2014204324.tif 000004
【図３】
2014204324.tif 000005
【図４】
2014204324.tif 000006
【図５】
2014204324.tif 000007
【図６】
2014204324.tif 000008